(57)【要約】      （修正有）【課題】ラップフィルムを収納箱からスムーズに引き出すことができ、さらに、ラップフィルムと適度に粘着して引き剥がしも容易なラップフィルム引出具を提供する。【解決手段】折曲可能な長板状に形成され、収納箱２内にロール状に巻かれて収納された包装用ラップフィルム３の引き出し側縁部に、長板１の密着片１ａにラップフィルム３を密着させて引き出す引出具であって、ラップフィルム３に密着される密着面に微粘着シリコーン層を有する微粘着フィルム５を貼付してラップ密着面を設ける。【選択図】図２
0003213067.tif 000002
【実用新案登録請求の範囲】
【請求項１】
長板状に形成され、収納箱内にロール状に巻かれて収納された包装用ラップフィルムの引き出し側端縁にその一部を密着させて、所望する長さにラップを引き出す引出具であって、前記引出具は、収納箱の短手方向に対して実質的に弧状を呈する角度に谷折可能かつ引き出すべき包装用ラップフィルムの横幅と略同一長さに形成され、前記ラップフィルムとの前記引出具側の密着面に微粘着粘着剤を塗布するか又は微粘着フィルムを貼付すると共に、前記密着面の２４時間後粘着力が、被粘着体がガラスの場合５０ｍＮ／２５ｍｍ、ポリカーボネート又はアクリルの場合４０ｍＮ／２５ｍｍ（試験条件は、剥離速度３００ｍｍ／ｍｉｎ、剥離角度１８０°ピールの変角度ピール測定）であることを特徴とするラップフィルム引出具。
【請求項２】
ラップフィルム引出具を収納箱と切離可能で且つ一体的に形成したことを特徴とする請求項１記載のラップフィルム引出具。
【考案の詳細な説明】
【技術分野】
【０００１】
本発明は食品等の包装に用いられるラップフィルムに関し、とくにその引出しに際して使用するラップフィルム引出具に関するものである。
【背景技術】
【０００２】
食品等の包装に用いられる包装用ラップフィルムは、一般に、紙筒に巻回された長尺フィルムのロールとして紙箱内に収納される。そして使用に際しては、ラップフィルムをロールから連続的に繰り出し、紙箱に設けられた切断刃を用いて所望の長さに切断して使用する。
【０００３】
しかしながら、ラップフィルムは被包装物に付着し易い性質を有し、この性質は、密封包装する上で好ましい特徴である反面、ラップフィルム同士が局部的に重なり皺や捩れなどを生じ、取扱いを困難にする欠点でもある。
【０００４】
そこで、ラップフィルムの端縁に着脱可能な粘着剤のついた棒状の器具で、ラップフィルムの引出しを行うようにしたものや（特許文献１参照）。ラップフィルム収納箱に収納されたラップフィルムの引出し側の端縁に粘着させて、前記ラップフィルムを引き出すラップフィルム引出具であって、ラップフィルムに粘着可能な粘着板と、前記粘着板をその長手方向に沿って延びる長辺側の端縁が突出するように表面及び裏面の両側から挟持する本体部とからなるラップフィルム引出具が開示されている（特許文献２参照。）。また、ラップフィルムの幅と同等の長さで、やや強度のある細い短冊形の板または棒で、その両端の二箇所に、少量の粘着剤を付け、フィルムを収納箱から引き出す際、この板または棒にフィルムの先端部分を粘着させて引き出すもの（特許文献３参照）や食品包装用ラップフィルムと同じ巾の、長方形の薄い板の片面に粘着材を付け、前記板をラップフィルムが入った箱の前面とラップフィルム引き出し口の裏面との間に隙間を作り、箱の上蓋の上面に付いた蛇腹部を箱の前方向に押し拡げ、刃の付いた上蓋をずらして、前記隙間に前記板を差し込み密着させ、弛みなく張った状態で必要量引張り出し切断して食品を包装した後、前記板を前記引き出し口の裏の隙間に再び収納し、連続使用できるようにされたもの（特許文献４参照。）等種々の構成のものが提案されている。
【先行技術文献】
【特許文献】
【０００５】
【特許文献１】特開昭６３−１０５６２９号公報
【特許文献２】特許第３９７９５３７号公報
【特許文献３】実開平７−２８８４０号公報
【特許文献４】特許第３１４６９３３号
【特許文献５】特開２０００−７３５３４号公報
【考案の概要】
【考案が解決しようとする課題】
【０００６】
しかしながら、従来のラップフィルム取出具を用いた場合には、以下のような問題が生じていた。ラップフィルム引出具は、ラップフィルムを引き出すためにある程度の粘着力を必要とするが、包装後にはラップフィルムから剥がす必要があるため、粘着力が強すぎてもよくない。しかし、粘着剤の物性の調整だけで適度な粘着力を得ることは甚だ困難である。すなわち、粘着剤自体の粘着力が強すぎるとラップフィルムが強く接着しすぎて剥離することが困難になる。また、粘着剤層には徐々に塵埃が付着し、ラップフィルムに対する粘着力が低下すると共に、不衛生になるという欠点がある。
【０００７】
また、特許文献１に記載された発明のように、粘着剤を引出具本体の裏面に間隔を空けて付着させたものがあるが、これはラップフィルムを引き剥がすときのスムーズさに欠け、乱雑にフィルムが破れるおそれがある。さらに、特許文献２に記載された発明のように、粘着剤を本体部の裏面の両端のみに付着させたものがあるが、これではラップの中央部分が引出具に粘着せずに浮いた状態となり、ラップフィルムをスムーズに引き出すことができない。
【０００８】
そこで、本考案者らは鋭意研究を行い、この粘着材としてミクロ吸着盤構造を有する粘着シールを用いることを知得した。この粘着シールは、粘着層の表面に微細なクレーター状の窪みが形成された粘着シールで、被接着物に対してその窪みが吸盤のように作用する。これは、例えば、発泡剤を含むアクリルエマルジョンを原料として、これを機械的に攪拌することによって連続気泡を生じせしめ、これを原料を布や紙等の基材に塗布し加熱乾燥することによって得られる（特許文献５参照。）。
本考案もまた上記従来技術の課題に鑑み、ラップフィルムを収納箱からスムーズに引き出すことができ、さらにラップフィルムと適度に密着して引き剥がしも容易なラップフィルム引出具を提供することを目的とする。
【課題を解決するための手段】
【０００９】
このため本考案のラップフィルム引出具は、長板状に形成され、収納箱内にロール状に巻かれて収納された包装用ラップフィルムの引き出し側端縁にその一部を密着させて、所望する長さにラップを引き出す引出具であって、前記引出具は、収納箱の短手方向に対して実質的に弧状を呈する角度に谷折可能かつ引き出すべき包装用ラップフィルムの横幅と略同一長さに形成され、前記ラップフィルムとの前記引出具側の密着面に微粘着粘着剤を塗布するか又は微粘着フィルムを貼付すると共に、前記密着面の２４時間後粘着力が、被粘着体がガラスの場合５０ｍＮ／２５ｍｍ、ポリカーボネート又はアクリルの場合４０ｍＮ／２５ｍｍ（試験条件は、剥離速度３００ｍｍ／ｍｉｎ、剥離角度１８０°のピール変角度ピール測定）であることを第１の特徴とする。また、ラップフィルム引出具を収納箱と切離可能で且つ一体的に形成したことを第２の特徴とする。
【００１０】
粘着性の物理的な意味、ヤング率（弾性率）は、そのものに力を加えたときどれだけ変形するか（厳密にはどれだけ変形し難いか）を表す数値である。代表的なヤング率として、鉄２１０００ＭＰａ（Ｎ／ｍｍ２）、アルミ７００００ＭＰａ（Ｎ／ｍｍ２）、ポリエチレン６ＭＰａ（Ｎ／ｍｍ２）、ゴム１．５ＭＰａ（Ｎ／ｍｍ２）。粘着性があるものはこのヤング率が小さいもので、１ｄｙｎ（１×１０−５／Ｎ／ｍｍ２）以下のヤング率でないと粘着性はない。
【考案の効果】
【００１１】
本考案によれば、フィルムとラップ密着面とは接着はするが、強く粘着するものではないので、引き剥がしも極めて容易にできる。また、ラップフィルム引出具のラップとの密着面を、微粘着シリコーン層を形成することによって、ラップフィルムの取り出しに際しては良好に粘着し、ラップ端の両隅が垂れることなく全体にわたって確実に粘着保持することができる。その結果、引き出し幅が短くでもラップを確実に切断することができ、引き出したラップ全体を均等にピンと張ることができる。このためラッピングし易くなり、切断刃による切れ味も良好になる。また、ラップと引出具は強力に接着されているわけではなく、表面同士が密着しているだけなので、ラッピングした後のラップフィルムを引出具から容易に剥がすことができる。
【図面の簡単な説明】
【００１２】
【図１】本考案に係るラップフィルム引出具を示す斜視図である。
【図２】本考案に係るラップフィルム収納箱と引出具の使用状態を示す斜視図である。
【図３】本考案に係るラップフィルム引出具の使用状態を示す（ａ）は斜視図、（ｂ）は（ａ）左側面図である。
【図４】本考案に係るラップフィルム引出具の使用状態を示す斜視図である。
【図５】本考案に係るラップフィルム引出具の使用状態を示す斜視図である。
【図６】収納箱の折蓋内にラップフィルム引出具を収納した状態を示す斜視図である。
【図７】収納箱とラップフィルム引出具を一体的に形成した例を示す斜視図である。
【考案を実施するための形態】
【００１３】
以下、図面に示す実施例に基づいて本考案の実施の形態について詳細に説明する。
図１及び図２に示すように、本発明のラップフィルム収納箱２は、その折蓋２ａの先端に切断刃４が取り付けられている。尚、この切断刃４の取り付け位置は、収納箱２からラップフィルム３が引き出され、切断可能な場所であればどこでもよく特に限定されるものではない。ただ、一般的にはラップフィルム３を切断する際、収納箱２の前板２ｂとこの前板２ｂと重なる折蓋２ａとの間でラップフィルム３を挟んで、外側から折蓋２ａを押さえながら切断する仕様が好適に採用されている。
【００１４】
収納箱２と同質の紙材で作られたラップフィルム引出具１は、収納箱２の短手方向に対して曲折可能な長板状に形成されている。尚、ラップフィルム引出具１の材質は、紙材に限定されるものではなく、弾力性のある材質であればプラスチック等でも良く、ラップフィルム３との密着時に全体が撓ることにより密着し易くなる。
【００１５】
そして、ラップフィルム引出具１のラップフィルム３との密着面にはシリコーン粘着剤が塗布されたポリエステルフィルム製の微粘着フィルム５を貼付して形成されている。本実施例では、ＲＥＰＯＰ（商品名：リンテック株式会社製）の品番ＲＥ５０３Ｓとれ５０５Ｓを使用した。このＲＥＰＯＰ（商品名）の２４時間後粘着力は、被粘着体がガラスの場合５０ｍＮ／２５ｍｍ、ポリカーボネート又はアクリルの場合４０ｍＮ／２５ｍｍ（試験条件は、剥離速度３００ｍｍ／ｍｉｎ、剥離角度１８０°ピールの変角度ピール測定で行った。）。
【００１６】
ＲＥＰＯＰ（商品名）の粘着性を定量的に知得するために引張試験とせん断力の試験を行った。結果を表１及び表２に示す。尚、表中のＭＤ及びＣＤは紙の漉き目の方向を示し、ＭＤが漉き目に沿った方向（縦目）で、ＣＤが目に直交する方向（横目）を示す。
（１）引張（測定項目：降伏点強度・伸度・破断点強度・破断点伸度・ヤング率）
（２）せん断力（引張速度５０ｍｍ／ｍｉｎで試料単体のせん断力を測定した。）
【００１７】
【表１】
0003213067.tif 000003
【００１８】
【表２】
0003213067.tif 000004
【００１９】
この微粘着フィルム５は、塵埃や異物の付着により粘着力が低下しても、水で洗い流して乾燥させるだけで簡単に復元できるので、清潔な状態で何度も使用できる。尚、微粘着フィルム５の貼付に代えて同様のヤング率となるように微粘着シリコーンを直接塗布して形成するものでもよい。また、同様のヤング率となるようにミクロ吸盤加工を施すものでもよい。
【００２０】
ラップフィルム３は、巻回ロールの形態で一般的に市販されている食品包装用ラップフィルムであり、ポリ塩化ビニリデン、ポリエチレン等の主材質からなる。この種のラップフィルムは、被包装物に付着又は密着する性質を有し、食品等の被包装物を密封保存するのに適しており、一般家庭における食品又は台所用品の日常的包装や、商工業的な食品包装材料として広く普及している。
【００２１】
図２に示すように、ラップフィルム引出具１には、その全長に渡って密着面となる（折り返し片）がプレス加工して折り畳み可能に形成され、折線１ｂが筋入れ加工され、折り返し片１ａの表面に密着面が形成されている。この密着面には、微粘着フィルム５が貼付され、これにより、ラップフィルム３と微粘着フィルム５の表面同士が適度に粘着し、ラップフィルム３の取り出しに際しては良好な粘着性を有し、スムーズな引き出しを行うことができ、かつ、被包装物をラッピングした後のラップフィルム３を引出具１から容易に引き剥がすことができる。
【００２２】
すなわち、密着面に微粘着シリコーン層を有する微粘着フィルム５を貼付して設けたことにより、引出具１はラップフィルム３と密着し、引き出しに充分な粘着力は付与されるが、ラップフィルム３が強く接着し過ぎることがない。また、引出具１に塵埃が多量に付着し、ラップフィルム３の保持性が低下したり、不衛生になるという欠点も解消できる。さらにラッピングした後のラップフィルム３を引出具１から容易に引き剥がすことができる。また、引出具１は、  図３に示すように、ラップフィルム引出具１は、収納箱２の短手方向に対して実質的に弧状を呈する角度に谷折り可能かつ引き出すべき包装用ラップフィルムの横幅と略同一長さに形成されているので、手扱い性が向上し、とくに左右両端部も確実に粘着でき、引き出したラップをピンと張ることができる。
【００２３】
以下にラップフィルム引出具１を用いて、フィルム収納箱２に収納されたラップフィルム３を引き出して、料理等をラッピングする方法について説明する。
【００２４】
最初に、図３に示すように、ラップフィルム３の引き出し側の端縁に、ラップフィルム引出具１の一方面を貼着させる。次に、図４及び図５に示すように、ラップフィルム引出具１を引っ張って、ラップフィルム３を所望する長さだけ引き出し、料理皿等を覆った後、収納箱２に取付けられた切断刃４により切断する。最後に、ラップフィルム３を皿の形状に合わせて整えてラッピングが完了する。
【００２５】
また、図６に示すように、ラップフィルム引出具１は、使用後にロールの始端に再び粘着させ、そのまま収納箱２の折蓋２ａに挟み込んでおけば、紛失を防止でき収納場所にも困らない。また、ラップの引き出し端がロール本体に巻き付くことを防止でき、次に使用する際にも引き出す手掛かりを施した状態となり清潔で便利である。尚、ラップフィルム引出具１は、収納箱２の中にラップフィルム３と共に予め単体で入れておくこともできる。また、図７に示すように、ラップフィルム引出具１を収納箱２と切離代を介して取ミシン目７等により切離可能で且つ一体的に形成すると、製作コストも削減できる。
【符号の説明】
【００２６】
１    ラップフィルム引出具
１ａ  密着片（折り返し片）
１ｂ  折線
２    収納箱
２ａ  折蓋
２ｂ  前板
３    ラップフィルム
４    切断刃
５    微粘着フィルム（微粘着シリコーン層）
６    切離代
７    ミシン目
【図１】
0003213067.tif 000005
【図２】
0003213067.tif 000006
【図３】
0003213067.tif 000007
【図４】
0003213067.tif 000008
【図５】
0003213067.tif 000009
【図６】
0003213067.tif 000010
【図７】
0003213067.tif 000011